(57)【要約】      （修正有）【課題】パレットの出し入れを容易にするパレット棚受け金具を提供する。【解決手段】サポーターパレットラック支柱Ｐ１、Ｐ２の中間部、サポーターパレットラック支柱Ｐ３、Ｐ４の中間部に設置されるパレット棚受け金具において、パレット棚受け金具が左側パレット棚受け金具と右側パレット棚受け金具の組合せであって、左側パレット棚受け金具が水平部材と垂直部材から構成されたＬ字型断面を有してなる。さらに、上記支柱Ｐ１、Ｐ２の中間部に、ボルト、ナット等の締結具により着脱自在に接続され、右側パレット棚受け金具が水平部材と垂直部材から構成された逆Ｌ字型断面を有してなり、上記支柱Ｐ３、Ｐ４の中間部に、ボルト、ナット等のむ締結具により着脱自在に接続する。左側パレット棚受け金具と右側パレット棚受け金具が共に左右対称形であることを特徴とするパレット棚受け金具である。【選択図】図１
0003167192.tif 000002
【実用新案登録請求の範囲】
【請求項１】
サポーターパレットラック支柱（Ｐ１）、（Ｐ２）の中間部、サポーターパレットラック支柱（Ｐ３）、（Ｐ４）の中間部に設置されるパレット棚受け金具において、パレット棚受け金具が左側パレット棚受け金具と右側パレット棚受け金具の組合せであって、左側パレット棚受け金具が水平部材（Ｈ）と垂直部材（Ｖ）から構成されたＬ字型断面を有してなり、上記支柱（Ｐ１）、（Ｐ２）の中間部に、ボルト、ナット等の締結具により着脱自在に接続され、右側パレット棚受け金具が水平部材（Ｈ）と垂直部材（Ｖ）から構成された逆Ｌ字型断面を有してなり、上記支柱（Ｐ３）、（Ｐ４）の中間部に、ボルト、ナット等のむ締結具により着脱自在に接続され、左側パレット棚受け金具と右側パレット棚受け金具が共に左右対称形であることを特徴とするパレット棚受け金具。
【請求項２】
左側パレット棚受け金具と右側パレット棚受け金具が背後側から手前側に左右に八の字状に広がっていると共に背後側から手前側に下降勾配を有しているように接続され、かつ、後方奥にストッパーを取付けることを特徴とする請求項１に記載のパレット棚受け金具。
【請求項３】
左側パレット棚受け金具と右側パレット棚受け金具が山形鋼と取付板部から構成されることを特徴とする請求項１〜請求項２の何れかに記載のパレット棚受け金具。
【考案の詳細な説明】
【技術分野】
【０００１】
本考案は、パレット棚受け金具に関する。
【背景技術】
【０００２】
サポーターパレットラックを使用する際、サポーターパレットラックに保管する商品が少ない時はサポーターパレットラック上部に無駄なスペースが生じる。そのスペ−スの有効活用を図る必要から、サポーターパレットラックに設けられた４本の支柱にそれぞれにサポーターパレットラック中間仕切り金具を取り付けて、その上にパレットを載せて無駄なスペースをなくすことを可能にしていた。
従来のサポーターパレットラック中間仕切金具（以下、パレット棚受け金具ともいう。）は、サポーターパレットラックの支柱から直角に矩形突起部を張り出させ、パレットを下方から支える金具Ｍ’（Ｍ’１、Ｍ’２、Ｍ’３、Ｍ’４、）である。
パレットをフォークリフトでこのサポーターパレットラック中間仕切金具の上に載せるため、そるための強度と載せやすさを必要とします。フォークリフトでサポーターパレットラック中間仕切金具上に載せる際、パレットが奥のサポーターパレットラック中間仕切金具に当たり、その衝撃で奥のサポーターパレットラック中間仕切金具が壊れる不都合が生じていた。また、サポーターパレットラック中間仕切金員の上に載ったパレットが金具からずれて落下することもあった。（以上、従来技術を示す［図３］を参照）
【０００３】
なお、本願考案とは直接関係しないが、先行技術文献として、以下掲載しておく。
【先行技術文献】
【特許文献】
【０００４】
【特許文献１】実開平５−４３９３２号公報
【考案の概要】
【考案が解決しようとする課題】
【０００５】
○本考案が解決しようとする第１課題
本考案が解決しようとする第１課題は、パレットの出し入れを容易にするパレット棚受け金具を提供することである。
○本考案が解決しようとする第２課題
本考案が解決しようとする第１課題は、載せてもパレットがずれないパレット棚受け金具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○サポーターパレットラックとは、パレットを保管するための機器である（図１、図２、図３）。
○サポーターパレットラック支柱とは、サポーターパレットラックの４隅に設けられた支柱である。
○支柱補強部材とは、サポーターパレットラックをサポーターパレットラック先端において、補強するため部材をいう。例えば、２本の支柱補強部材（Ｒｆ）を交差させて、支柱補強部材（Ｒｆ）とサポーターパレットラック支柱（Ｐ）とが接合される例が開示される（図１、図２、図３）。
○パレット棚受け金具とは、パレットを支えるための金具をいう。パレット棚受け金具は左側パレット棚受け金具と右側パレット棚受け金具の組合せである。
例えば、左側（右側）パレット棚受け金具が、水平部材（Ｈ）と垂直部材（Ｖ）から構成されたＬ字型断面（逆Ｌ字型断面）を有してなり、水平部材（Ｈ）の下部に垂直にの下部に垂直に取付板部が一体結合されてなる構造物であってもよい（図４（ａ）、（図４（ｂ））。
○水平部材とは、パレット棚受け金具を構成する板状部材であって、載荷されるパレットを支持する水平に設置される。
○垂直部材とは、パレット棚受け金具を構成する板状部材であって、載荷されるパレットの横方向の移動を制限する垂直に設置されるガイド部材である。
○ストッパーとは、載荷されるパレットを奥行きの移動を制限するために、左側パレット棚受け金具と右側パレット棚受け金具の後方奥に取付けられた金具をいう。
○取付板部とは、水平部材（Ｈ）と垂直部材（Ｖ）から構成されたＬ字型断面（又は逆Ｌ字型断面）を有した部材（山形鋼）の下部に垂直に接合された部材をいう。
取付部材は、足場クランプ金具と左側パレット棚受け金具（右側パレット棚受け金具）とを接合するための機能を有する以外に、左側パレット棚受け金具と右側パレット棚受け金具の両方の垂直方向の梁としての剛性を高めることができ、サポーターパレットラック支柱全体の強度を増すことができる。
○パレットとは、輸送や物流などに使う、荷物を載せる荷役台。工場やトラック、コンテナ、倉庫等において、荷役作業を扱いやすくするために、運搬の際に荷物台上に荷物を載せ、穴になった部分にフォークリフトやハンドリフトの爪を差し込んで持ち上げることができる。
○サポーターパレットラック支柱取付け金具とは、サポーターパレットラック支柱を固定するための取付け金具をいう。
○足場クランプ金具とは、支柱に足場を取り付けるために用いられる金具をいう。
○山形鋼とは、支形鋼の一。横断面がＬ字形をした圧延鋼材をいう。構造物に広く用いられる。山形鋼は、水平部材（Ｌ）と垂直部材（Ｈ）の結合体である（図４（ａ）、（図４（ｂ））。
＜サフィックスの説明＞
○「１」は、サポーターパレットラックの手前左側を表す。
○「２」は、サポーターパレットラックの後背左側を表す。
○「３」は、サポーターパレットラックの手前右側を表す。
○「４」は、サポーターパレットラックの後背右側を表す。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
サポーターパレットラック支柱（Ｐ１）、（Ｐ２）の中間部、サポーターパレットラック支柱（Ｐ３）、（Ｐ４）の中間部に設置されるパレット棚受け金具において、パレット棚受け金具が左側パレット棚受け金具と右側パレット棚受け金具の組合せであって、左側パレット棚受け金具が水平部材（Ｈ）と垂直部材（Ｖ）から構成されたＬ字型断面を有してなり、上記支柱（Ｐ１）、（Ｐ２）の中間部に、ボルト、ナット等のむ締結具により着脱自在に接続され、右側パレット棚受け金具が水平部材（Ｈ）と垂直部材（Ｖ）から構成された逆Ｌ字型断面を有してなり、上記支柱（Ｐ３）、（Ｐ４）の中間部に、ボルト、ナット等のむ締結具により着脱自在に接続され、左側パレット棚受け金具と右側パレット棚受け金具が共に左右対称形であることを特徴とするパレット棚受け金具である。
○第２の考案（請求項２に記載の考案）
上記の課題を解決するための第２の考案（請求項２に記載の考案）は、
左側パレット棚受け金具と右側パレット棚受け金具が背後側から手前側に左右に八の字状に広がっていると共に背後側から手前側に下降勾配を有しているように接続され、かつ、後方奥にストッパーを取付けることを特徴とする請求項１に記載されたパレット棚受け金具である。
○第３の考案（請求項３に記載の考案）
上記の課題を解決するための第３の考案（請求項３に記載の考案）は、
左側パレット棚受け金具と右側パレット棚受け金具が山形鋼と取付板部から構成されることを特徴とする請求項１〜請求項２の何れかに記載のパレット棚受け金具である。
【考案の効果】
【０００７】
本考案に係るは、上記のような特徴的構成用件から構成され、特徴的構成要件に応じた、以下のような本願考案特有の効果を奏する。
また、上記の各考案に応じた、上記のような特徴的構成要件から構成されたパレット棚受け金具によれば、本願考案の課題を十分解消することができた。
○第１の考案の効果
第１の考案によれば、サポーターパレットラック支柱（Ｐ１）、（Ｐ２）の中間部、サポーターパレットラック支柱（Ｐ３）、（Ｐ４）の中間部に設置されるパレット棚受け金具において、パレット棚受け金具が左側パレット棚受け金具と右側パレット棚受け金具の組合せであって、左側パレット棚受け金具が水平部材（Ｈ）と垂直部材（Ｖ）から構成されたＬ字型断面を有してなり、上記支柱（Ｐ１）、（Ｐ２）の中間部に、ボルト、ナット等のむ締結具により着脱自在に接続され、右側パレット棚受け金具が水平部材（Ｈ）と垂直部材（Ｖ）から構成された逆Ｌ字型断面を有してなり、上記支柱（Ｐ３）、（Ｐ４）の中間部に、ボルト、ナット等のむ締結具により着脱自在に接続され、左側パレット棚受け金具と右側パレット棚受け金具が共に左右対称形であることという特徴的な構成要件により、本考案が解決しようとする第１課題〜第２課題を達成することができ、当業者予測不可能な顕著な効果を奏することができた。
○第２の考案の効果
第２の考案によれば、左側パレット棚受け金具と右側パレット棚受け金具が背後側から手前側に左右に八の字状に広がっていると共に背後側から手前側に下降勾配を有しているように接続され、かつ、後方奥にストッパーを取付けることという特徴的な構成要件により、本考案が解決しようとする第１課題〜第２課題を達成することができ、当業者予測不可能な顕著な効果を奏することができた。
○第３の考案の効果
第３の考案によれば、左側パレット棚受け金具と右側パレット棚受け金具が山形鋼と取付板部から構成されることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、パレット棚受け金具に関する最良の実施形態について、図面を参照しながら説明する。
図１は、本考案に係る、サポーターパレットラックの斜視図である。
図２は、本考案に係る、サポーターパレットラックの平面図である。
図３は、従来技術に係る、パレット棚受け金具の斜視図である。
図４（ａ）は、左側パレット棚受け金具の平面図である。
図４（ｂ）は、左側パレット棚受け金具のＡ−Ａ断面図である。
図５は、右側パレット棚受け金具と足場クランプ金具とサポーターパレットラック支柱との接合状態図である。
本考案に係る、パレット棚受け金具について、図面を参照しながら、以下、説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案の開示
サポーターパレットラック支柱Ｐ１、Ｐ２、Ｐ３、Ｐ４の中間部に設置されるパレット棚受け金具において、パレット棚受け金具が左側パレット棚受け金具と右側パレット棚受け金具の組合せであって、左側パレット棚受け金具ＭＬが水平部材Ｈと垂直部材Ｖから構成されたＬ字型断面を有してなり、上記支柱Ｐ１、Ｐ２の中間部に、ボルトＢ、ナットＮ等のむ締結具により着脱自在に接続され、右側パレット棚受け金具ＭＲが水平部材Ｈと垂直部材Ｖから構成された逆Ｌ字型断面を有してなり、上記支柱Ｐ３、Ｐ４の中間部に、ボルトＢ、ナットＮ等のむ締結具により着脱自在に接続され、左側パレット棚受け金具ＭＬと右側パレット棚受け金具ＭＲが共に左右対称形であることを特徴とするパレット棚受け金具が開示されている（図１、図４（ａ）、図４（ｂ）、図５）。
○第１の考案の効果
第１の考案によれば、サポーターパレットラック支柱Ｐ１、Ｐ２、Ｐ３、Ｐ４の中間部に設置されるパレット棚受け金具において、パレット棚受け金具が左側パレット棚受け金具と右側パレット棚受け金具の組合せであって、左側パレット棚受け金具ＭＬが水平部材Ｈと垂直部材Ｖから構成されたＬ字型断面を有してなり、上記支柱Ｐ１、Ｐ２の中間部に、ボルトＢ、ナットＮ等のむ締結具により着脱自在に接続され、右側パレット棚受け金具ＭＲが水平部材Ｈと垂直部材Ｖから構成された逆Ｌ字型断面を有してなり、上記支柱Ｐ３、Ｐ４の中間部に、ボルトＢ、ナットＮ等のむ締結具により着脱自在に接続され、左側パレット棚受け金具ＭＬと右側パレット棚受け金具ＭＲが共に左右対称形であることという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第２の考案の開示
上記のパレット棚受け金具において、左側パレット棚受け金具ＭＬと右側パレット棚受け金具ＭＲが背後側から手前側に左右に八の字状に広がっていると共に背後側から手前側に下降勾配を有しているように接続され、かつ、後方奥にストッパーＳｔを取付けることを特徴とするパレット棚受け金具が開示されている（（図１、図４（ａ）、図４（ｂ））。
左側パレット棚受け金具ＭＬと右側パレット棚受け金具ＭＲが背後側から手前側に左右に八の字状に広がっていると共に背後側から手前側に下降勾配を有しているように接続されたことにより、パレットの下部を、水平部材Ｈにより、パレットの左右を、垂直部材Ｖにより、確実に一定範囲内に拘束することができるので、パレットの落下の惧れが減じてパレット操作の安全性が増した。
さらに、後方奥にストッパーＳｔを取付けることにより、パレットが奥の所定位置以上行かないようストッパーＳｔにより確実に一拘束されるので、パレットが奥にずれるといった不都合を解消した。
○第２の考案の効果
第２の考案によれば、左側パレット棚受け金具ＭＬと右側パレット棚受け金具ＭＲが背後側から手前側に左右に八の字状に広がっていると共に背後側から手前側に下降勾配を有しているように接続され、かつ、後方奥にストッパーＳｔを取付けることという特徴的な構成要件により、本考案が解決しようとする第１課題の課題の他に、第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第３の考案の開示
上記のパレット棚受け金具において、左側パレット棚受け金具ＭＬと右側パレット棚受け金具ＭＲが山形鋼と取付板部Ｐｌから構成されることを特徴とする請求項１〜請求項２の何れかに記載のパレット棚受け金具が開示されている（（図１、図４（ａ）、図４（ｂ）、図５））。
○第３の考案の効果
第３の考案によれば、左側パレット棚受け金具ＭＬと右側パレット棚受け金具ＭＲが山形鋼と取付板部Ｐｌから構成されることという特徴的な構成要件により、本考案が解決しようとする第１課題〜第２課題を達成することができ、当業者予測不可能な顕著な効果を奏することができた
【図面の簡単な説明】
【０００９】
【図１】図１は、本考案に係る、サポーターパレットラックの斜視図である。
【図２】図２は、本考案に係る、サポーターパレットラックの平面図である。
【図３】図３は、従来技術に係る、パレット棚受け金具の斜視図である。
【図４】図４（ａ）は、左側パレット棚受け金具の平面図である。図４（ｂ）は、左側パレット棚受け金具のＡ−Ａ断面図である。
【図５】図５は、右側パレット棚受け金具と足場クランプ金具とサポーターパレットラック支柱との接合状態図である。
【符号の説明】
【００１０】
ＳＰＬ……サポーターパレットラック
Ｐ……サポーターパレットラック支柱
Ｍ……パレット棚受け金具
ＭＬ……左側パレット棚受け金具
ＭＲ……右側パレット棚受け金具
Ｈ……水平部材
Ｖ……垂直部材
Ｓｔ……ストッパー
Ｐｌ……取付板部
Ｐｔ……パレット
ＰＭ……サポーターパレットラック支柱取付け金具
ＦＭ……足場クランプ金具
Ｂ……ボルト
Ｎ……ナット
Ｒｆ……支柱補強部材
Ｍ’……従来技術におけるパレット棚受け金具
【図１】
0003167192.tif 000003
【図２】
0003167192.tif 000004
【図３】
0003167192.tif 000005
【図４】
0003167192.tif 000006
【図５】
0003167192.tif 000007